(57)【要約】【課題】弾性部材を用いて被取付け部に取り付けた操作スイッチを安定させる。【解決手段】操作スイッチとしての押しボタンスイッチ１は、頭部２１に一体に形成された胴部２２がパネル８の一面８ａ側から取付け孔８ｃに挿入されて反対側の他面８ｂ側に突出し、かつ頭部がパネルの一面に支持される操作部２と、挿入孔４３を有し、挿入孔に胴部を挿入した状態で胴部の軸方向に進退移動が可能なベース部材４と、胴部の外周面の外側で胴部の軸方向に沿って延長し、一端側３ａが胴部に支持され、かつ他端側３ｂがベース部材に支持された状態で一端側及び他端側が相対的に近づくことにより中央部３ｃが胴部から離れる方向に弾性変形する複数の弾性部材３とを備える。そして、頭部が被取付け部の一面に支持され、かつ弾性部材の中央部が胴部から離れる方向に弾性変形してパネルの他面を弾発力により押圧した状態で胴部にベース部材が固定される。【選択図】図１
2018010762.tif 000002
【特許請求の範囲】
【請求項１】
頭部に前記頭部よりも小さい外形サイズの胴部が一体に形成され、前記胴部が被取付け部の一面側から取付け孔に挿入されて反対側の他面側に突出し、かつ前記頭部が前記被取付け部の一面に支持される操作部と、
前記取付け孔から突出する前記胴部が挿入される挿入孔を有し、前記挿入孔に前記胴部を挿入した状態で前記胴部の軸方向に進退移動が可能なベース部材と、
前記胴部の外周面の外側で前記胴部の軸方向に沿って延長し、一端側が前記胴部に支持され、かつ他端側が前記ベース部材に支持された状態で、前記一端側及び他端側が相対的に近づくことにより中央部が前記胴部から離れる方向に弾性変形する複数の弾性部材と、を備え、
前記頭部が前記被取付け部の一面に支持され、かつ前記弾性部材の中央部が前記胴部から離れる方向に弾性変形して前記被取付け部の他面を弾発力により押圧した状態で前記胴部に前記ベース部材が固定されることを特徴とする操作スイッチ。
【請求項２】
前記胴部及びベース部材の一方に係止凹部が設けられ、他方に前記係止凹部に係止される係止凸部が設けられ、
前記ベース部材は、前記係止凹部に前記係止凸部が係止することにより前記胴部に固定されることを特徴とする請求項１に記載の操作スイッチ。
【請求項３】
前記弾性部材は、前記胴部の外周面において、３つ以上設けられていることを特徴とする請求項１又は請求項２に記載の操作スイッチ。
【請求項４】
前記弾性部材は、予め前記中央部が前記一端側及び前記他端側よりも前記胴部から離れた形状に成形されていることを特徴とする請求項１乃至請求項３の何れか１項に記載の操作スイッチ。
【請求項５】
前記胴部の外周面には、前記弾性部材の幅よりも広い幅で前記胴部の軸方向に沿って延長する軸方向溝部が設けられ、
前記弾性部材は、前記軸方向溝部と対向して配置されていることを特徴とする請求項１乃至請求項４の何れか１項に記載の操作スイッチ。
【請求項６】
前記ベース部材は、前記操作部側とは反対側に前記操作部によって操作させる機能ユニットが連結されることを特徴とする請求項１乃至請求項５の何れか１項に記載の操作スイッチ。
【発明の詳細な説明】
【技術分野】
【０００１】
本発明は、操作スイッチに関し、特に、パネルなどの被取付け部に取り付けられる操作スイッチに適用して有効な技術に関するものである。
【背景技術】
【０００２】
制御盤、操作盤、配電設備などでは、押しボタンスイッチやセレクタスイッチなどの操作スイッチが用いられている。この種の操作スイッチの被取付け部への取付けは、被取付け部に操作部を固定することにより行われる。被取付け部への操作部の固定方法としては、ねじ式の締付ナットによる固定方法や弾性部材による固定方法が知られている。特許文献１には、パネル（被取付け部）の一面側から取付け穴に挿入して反対側の他面側に突出する樹脂ケース（操作部）をパネルにマウントばねで固定する固定方法が開示されている。このマウントばねによる固定方法は、パネルに樹脂ケースをワンタッチで固定することができる。
【先行技術文献】
【特許文献】
【０００３】
【特許文献１】実公平６−２１７７号公報
【発明の概要】
【発明が解決しようとする課題】
【０００４】
しかしながら、特許文献１のマウントばねによる固定方法は、マウントばねがパネルの取付け穴における側面の下側縁を弾発力で押圧している。このため、パネルの一面とは反対側の他面を締付ナットによる締付力で押圧してパネルに操作部を固定する固定方法と比較して、樹脂ケースがパネルに対してヨーイングし易く、パネルへの電気器具（操作スイッチ）の取付けが不安定になることがある。特に大型の電気器具では樹脂ケースの軸方向の長さが長くなるため、パネルに対して樹脂ケースがヨーイングし易く、より不安定になることがある。
【０００５】
そこで、本発明は上記従来技術の課題に着目してなされたものであり、本発明の目的は、弾性部材を用いて被取付け部に取り付けた操作スイッチを安定させることが可能な技術を提供することにある。
【課題を解決するための手段】
【０００６】
上記目的を達成するために、本発明に係る操作スイッチの一態様は、頭部にこの頭部よりも小さい外形サイズの胴部が一体に形成され、胴部が被取付け部の一面側から取付け孔に挿入されて反対側の他面側に突出し、かつ頭部が被取付け部の一面に支持される操作部と、取付け孔から突出する胴部が挿入される挿入孔を有し、挿入孔に胴部を挿入した状態で胴部の軸方向に進退移動が可能なベース部材と、胴部の外周面の外側で胴部の軸方向に沿って延長し、一端側が胴部に支持され、かつ他端側がベース部材に支持された状態で一端側及び他端側が相対的に近づくことにより中央部が胴部から離れる方向に弾性変形する複数の弾性部材とを備える。そして、頭部が被取付け部の一面に支持され、かつ弾性部材の中央部が胴部から離れる方向に弾性変形して被取付け部の他面を弾発力により押圧した状態で胴部にベース部材が固定される。
【発明の効果】
【０００７】
本発明の一態様によれば、ワンタッチで取り付けることができると共に、被取付け部に取り付けた操作スイッチを安定させることができる。
【図面の簡単な説明】
【０００８】
【図１】本発明の一実施形態である押しボタンスイッチをパネルに取り付けた状態を示す側面図である。
【図２】図１の押しボタンスイッチをパネルに仮付けした状態を示す側面図である。
【図３】図２の一部を拡大して示す要部断面図である。
【図４】図１に示す操作部の斜視図である。
【図５】図４の操作部において、弾性部材の図示を省略して示す側面図である。
【図６】図１に示すベース部材の斜視図である。
【図７】図６に示すベース部材の図（（ａ）は正面図，（ｂ）は側面図，（ｃ）は底面図）である。
【図８】図７（ｃ）の一部を拡大して示す要部平面図である。
【発明を実施するための形態】
【０００９】
以下、図面を参照して本発明の実施形態を詳細に説明する。
なお、以下の実施形態の説明及び添付図面において、同一機能を有するものは同一符号を付し、その繰り返しの説明は省略する。
また、以下の実施形態で説明される添付図面は、見易く又は理解し易くするために正確なスケール、寸法比で描かれていない。本発明はその要旨を超えない限り、以下に説明する実施形態の記載に限定されるものではない。
以下の実施形態では、本発明の「操作スイッチ」の一例として、本発明を適用した押しボタンスイッチについて説明する。
【００１０】
図１に示すように、本発明の一実施形態に係る押しボタンスイッチ１は、例えば制御盤、操作盤、配電設備などの被取付け部としてのパネル８に取付けられて使用される。
押しボタンスイッチ１は、手動により操作される操作部２を備えている。また、押しボタンスイッチ１は、パネル８に操作部２を固定するための複数の弾性部材３と、操作部２に連結されるベース部材４と、操作部２にベース部材４を係止して固定する係止固定部６とを備える。また、押しボタンスイッチ１は、ベース部材４に連結される機能ユニットとしての接点ユニット７を備える。この押しボタンスイッチ１は、操作部２がパネル８に弾性部材３の弾発力によって固定される。ベース部材４は、操作部２と接点ユニット７との間に配置され、操作部２と接点ユニット７との連結を仲介する仲介機能を有する。また、ベース部材４は、パネル８に操作部２を弾性部材３の弾発力で固定するにあたって弾性部材３の弾発力を保持する保持機能も有する。
【００１１】
図１乃至図３に示すように、操作部２は、頭部２１に、この頭部２１の外形サイズよりも小さい外形サイズの胴部２２が一体に形成された段付き形状になっている。そして、操作部２は、頭部２１がパネル８の一面８ａに支持され、かつ胴部２２がパネル８の一面８ａ側から取付け孔８ｃに挿入されて反対側の他面８ｂ側に突出する状態でパネル８に固定される。操作部２は、頭部２１及び胴部２２が合成樹脂材で一体成形されている。
頭部２１は、例えば円錐台形状で形成されている。そして、頭部２１は、胴部２２側とは反対側に押しボタン２１ａを有する。パネル８に操作部２を固定した状態では、頭部２１とパネル８の一面８ａとの間に、頭部２１とパネル８との密封性を高めるためのパッキン２５が介在される。
胴部２２は例えば円筒形状で形成され、この胴部２２が挿入されるパネル８の取付け孔８ｃも胴部２２の形状に合わせて円形状で形成されている。取付け孔８ｃは、胴部２２の外径よりも若干大きく、かつ頭部２１の外径よりも小さい内径で形成されている。胴部２２は、頭部２１と一体に形成された大径円筒部２２ａと、この大径円筒部２２ａの頭部２１側とは反対側に一体に形成された小径円筒部２２ｂとを有する段付き形状になっている。
【００１２】
弾性部材３は、操作部２の胴部２２の外周面の外側で胴部２２の軸方向に沿って延長し、一端側３ａが胴部２２に支持され、かつ他端側３ｂがベース部材４に支持された状態で、一端側３ａ及び他端側３ｂが相対的に近づくことにより中央部３ｃが胴部２２から離れる方向に弾性変形するようになっている。この実施形態では、弾性部材３は、一端側３ａが操作部２の胴部２２に不動状態で強固に固定され、他端側３ｂが胴部２２の軸方向に進退移動可能になっている。そして、弾性部材３は、パネル８に操作部２を固定する際に一端側３ａに向かって他端側３ｂを移動させることにより中央部３ｃが胴部２２から離れる方向に向かって弾性変形する。この弾性部材３は、予め中央部３ｃが一端側３ａ及び他端側３ｂよりも胴部２２から離れた二次曲線形状（山形の形状）に成形されており、パネル８の取付け孔８ｃに操作部２の胴部２２を挿入する際に中央部３ｃを胴部２２に向かって押圧することにより直線状に弾性変形するようにもなっている。弾性部材３は、例えば１本の板ばねで構成されており、長手方向が操作部２の軸方向と一致するようにして配置されている。弾性部材３の中央部３ｃは、弾性力がへたることが無いように内角が９０度以上の二次曲線形状で形成することが好ましい。弾性部材３は、弾性に優れた例えばばね用ステンレス鋼帯で形成されている。
【００１３】
ここで、図３乃至図５に示すように、操作部２は、胴部２２の外周面に弾性部材３の幅よりも広い幅で胴部２２の軸方向に沿って設けられ、かつ弾性部材３と対向するようにして配置された軸方向溝部２３を有する。そして、弾性部材３は、一端側３ａが軸方向溝部２３の内部において操作部２の胴部２２に固定されている。軸方向溝部２３は、胴部２２の大径円筒部２２ａに頭部２１側から小径円筒部２２ｂ側に亘って延長し、一端側が大径円筒部２２ａの小径円筒部２２ｂ側の端面から露出している。
軸方向溝部２３は、弾性部材３の中央部３ｃを操作部２の胴部２２に向かって押圧した状態でパネル８の取付け孔８ｃに操作部２の胴部２２を挿入する際に弾性部材３が邪魔にならないように、弾性部材３の厚さよりも深い深さで形成することが好ましい。
【００１４】
軸方向溝部２３は、弾性部材３に対応して設けられている。軸方向溝部２３及び弾性部材３は、胴部２２の外周面の円周方向において、等間隔で３つ以上設けられていることが好ましい。この実施形態では、軸方向溝部２３及び弾性部材３の各々は、胴部２２の外周面の円周方向において等間隔で４つ設けられている。
操作部２の胴部２２において、小径円筒部２２ｂの外周面には、小径円筒部２２ｂの外周面より半径方向に凹む係止凹部６１が設けられている。この係止凹部６１は、胴部２２の半径方向において互いに反対側の各々の位置に２つずつ設けられている。
【００１５】
図１、図２、図６及び図７に示すように、ベース部材４は、操作部２の軸方向と直交する方向に延長する偏平な直方体状に形成されたケース体４１と、ケース体４１の一面にこの一面から突出するようにして設けられた環状リブ４２とを有する。また、ベース部材４は、環状リブ４２の内側においてケース体４１の一面から他面に亘って貫通し、パネル８の取付け孔８ｃから他面８ｂ側に突出する操作部２の胴部２２が挿入される挿入孔４３を有する。環状リブ４２の内側の平面形状及び挿入孔４３の平面形状は、操作部２の胴部２２の形状に合わせて円形状になっている。環状リブ４２の内側及び挿入孔４３は連通し、同一の内径で形成されている。ベース部材４は、挿入孔４３に胴部２２を挿入した状態で胴部２２の軸方向に進退移動が可能になっている。
【００１６】
また、ベース部材４は、ケース体４１に操作部２の軸方向と直交する方向に摺動可能に保持されたリリースアーム部材５と、ケース体４１の内部にリリースアーム部材５を摺動自在に収納する収納部４４とを有する。また、ベース部材４は、環状リブ４２の挿入孔４３における内側壁面に挿入孔４３の軸方向に沿って設けられた案内突起４５と、この案内突起４５の一端側に環状リブ４２から突出して設けられた受け部４６とを有する。そして、ベース部材４は、パネル８の他面８ｂ側において、挿入孔４３に胴部２２を挿入することにより、弾性部材３の他端側３ｂを受け部４６で支持しながら弾性部材３の一端側３ａに向かって移動し、この移動に伴って弾性部材３の他端側３ｂを一端側３ａに向かって移動させるようになっている。挿入孔４３は、操作部２の胴部２２の形状に合わせて平面形状が円形状になっている。
【００１７】
案内突起４５は、軸方向溝部２３と対応して設けられている。そして、案内突起４５は、パネル８の取付け孔８ｃから突出する胴部２２をベース部材４の挿入孔４３に挿入してベース部材４を弾性部材３の一端側３ａに向かって移動させるときに、軸方向溝部２３と嵌合し、軸方向溝部２３に沿って移動する。したがって、弾性部材３の他端側３ｂをベース部材４の受け部４６で支持しながらベース部材４を弾性部材３の一端側３ａに向かって移動させる際に、弾性部材３の他端側３ｂが受け部４６から脱落するといった不具合を防止することができる。これにより、弾性部材３の中央部３ｃが胴部２２から離れる弾性変形を確実に行うことができるとともに、この弾性部材３の弾性変形を確実に保持することができる。
【００１８】
図６、図７（ｃ）及び図８に示すように、ベース部材４は、挿入孔４３に対して進退移動可能でケース体４１に連結され、かつ挿入孔４３の外側で互いに対向して配置された２つの可撓性の可動部４７を有する。各可動部４７には、可動部４７から挿入孔４３の軸方向（ケース体４１の厚さ方向）に突出する可動突起４８が設けられている。そして、可動突起４８の側面には、後述するアーム部５２の第２傾斜部５３（図８参照）と同方向に傾斜する第１傾斜部４９（図８参照）が設けられている。また、各可動部４７の挿入孔４３における側面には、挿入孔４３の中心軸側に突出し、かつ操作部２の係止凹部６１に係止される係止凸部６２が設けられている。ケース体４１は、例えば柔軟性に優れたポリアミド（ＰＡ）樹脂で形成されている。
【００１９】
図６、図７及び図８に示すように、リリースアーム部材５は、挿入孔４３の外側に位置し、かつケース体４１の一面から突出する押圧部５１と、この押圧部５１に一端側が連結され、かつ挿入孔４３の外側で互いに対向して配置された２つのアーム部５２とを有する。リリースアーム部材５は、押圧部５１を挿入孔４３に向かって押圧することにより２つのアーム部５２が押圧部５１の押圧方向Ｓ１（図８参照）に向かって進行移動し、押圧部５１への押圧を解除することにより図示しない弾性変形部の弾発力で元の位置に後退移動するようになっている。各アーム部５２は、挿入孔４３と可動突起４８との間を横切るようにして可動部４７と対向している。
【００２０】
図８に示すように、各アーム部５２の側面には、可動突起４８の第１傾斜部４９を押圧する第２傾斜部５３が設けられている。この第２傾斜部５３は、第１傾斜部４９と接触した後のアーム部５２の押圧方向Ｓ１の進行移動により、挿入孔４３から離れる外方向Ｓ２に可動突起４８を移動させるためのものである。そして、この可動突起４８の移動に伴って可動部４７が外方向Ｓ２に撓むと共に、係止凸部６２が外方向Ｓ２に移動する。第２傾斜部５３は、押圧方向Ｓ１に向かったときにアーム部５２の幅が徐々に狭くなる方向に傾斜している。すなわち、ベース部材４は、押圧部５１をケース体４１に向かって押圧することにより、操作部２の係止凹部６１とリリースアーム部材５の係止凸部６２との係止状態を解除するように構成されている。
【００２１】
係止凸部６２には、ベース部材４の挿入孔４３に操作部２の胴部２２を挿入するときに、胴部２２の先端で押圧されて可動部４７を外方向Ｓ２に撓ませる傾斜部６２ａが設けられている。そして、この可動部４７の撓みに伴って係止凸部６２が外方向Ｓ２に移動するため、胴部２２の挿入孔４３への挿入をスムーズに行うことができる。そして、胴部２２の係止凹部６１とベース部材４の係止凸部６２とが対向したときに可動部４７の撓みの反力（弾発力）により係止凹部６１に係止凸部６２が挿入される。すなわち、ベース部材４の挿入孔４３に操作部２の胴部２２を挿入して胴部２２の係止凹部６１に係止凸部６２が挿入されることにより、係止凹部６１と係止凸部６２とが係止して係止状態となる。
【００２２】
図１に示すように、係止固定部６は、操作部２の胴部２２がパネル８の一面８ａに支持され、弾性部材３の他端側３ｂがベース部材４の受け部４６に支持され、かつ弾性部材３の中央部３ｃが胴部２２から離れる方向に弾性変形してパネル８の他面８ｂを押圧した状態で操作部２の胴部２２にベース部材４を係止固定するようになっている。係止固定部６は、操作部２及びベース部材４の一方に設けられた係止凹部６１と、他方に設けられ、かつ係止凹部６１に挿入されて係止される係止凸部６２とを有する。この実施形態では、上述したように、係止凹部６１は操作部２に設けられ、係止凸部６２はベース部材４に設けられている。
【００２３】
図１及び図２に示すように、接点ユニット７は、ベース部材４の操作部２側とは反対側に連結されている。この接点ユニット７は、図示していないが、操作部２の押しボタン２１ａの操作に連動して作動する可動接点により回路の開閉を行う接点機能を内蔵している。この実施形態では、接点ユニット７はベース部材４に１つの接点ユニットを連結した１段構成になっているが、複数の接点ユニット７を操作部２の軸方向に複数段に連結することも可能であり、また、操作部２の軸方向と直交する方向に並列に２つの接点ユニット７を連結することもできる。
【００２４】
次に、図１及び図２を参照しながら押しボタンスイッチ１の取付け方法について説明する。この取付け方法では、予めベース部材４に接点ユニット７が連結された場合について説明するが、接点ユニット７は、パネル８に操作部２を弾性部材３の弾発力で固定した後にベース部材４に取り付けることもできる。
まず、操作部２、ベース部材４及び接点ユニット７を準備する。接点ユニット７は、ベース部材４に予め連結されている。操作部２は、胴部２２に一端側３ａが固定された複数の弾性部材３を有する。
【００２５】
次に、図２に示すように、パネル８の一面８ａ側から取付け孔８ｃに操作部２の胴部２２を挿入してパネル８に操作部２を仮付けする。このとき、操作部２は、頭部２１がパネル８の一面８ａに支持され、胴部２２がパネル８の取付け孔８ｃから他面８ｂ側に突出した状態でパネル８に仮付けされる。この操作部２の仮付け工程において、弾性部材３は、パネル８の取付け孔８ｃを通過する際に、中央部３ｃがパネル８の取付け孔８ｃにおける側面の縁で押圧されて二次曲線形状から直線形状に弾性変形して軸方向溝部２３に入り込むため、操作部２の胴部２２はパネル８の取付け孔８ｃを容易に通過することができる。
次に、図２に示すように、パネル８の取付け孔８ｃから他面８ｂ側に突出する操作部２の胴部２２をベース部材４の環状リブ４２内に挿入して、弾性部材３の他端側３ｂをベース部材４の受け部４６で支持する。
【００２６】
次に、操作部２の係止凹部６１にベース部材４の係止凸部６２が入り込んで係止状態となるまでベース部材４を押し上げ、操作部２の胴部２２をベース部材４の挿入孔４３に深く挿入して操作部２の胴部２２にベース部材４を係止固定部６により係止固定する。
このベース部材４の係止工程において、ベース部材４は、弾性部材３の他端側３ｂを受け部４６で支持した状態で弾性部材３の一端側３ａに向かって移動する。そして、このベース部材４の移動に伴って弾性部材３の他端側３ｂも弾性部材３の一端側３ａに向かって移動する。そして、この弾性部材３の他端側３ｂの移動に伴って弾性部材３の中央部３ｃが操作部２の胴部２２から離れる方向に弾性変形し、弾性部材３の中央部３ｃがパネル８の他面８ｂを押圧する。そして、ベース部材４は、操作部２の頭部２１がパネル８の一面８ａに支持され、弾性部材３の他端側３ｂがベース部材４の受け部４６に支持され、かつ弾性部材３の中央部３ｃが操作部２の胴部２２から離れる方向に弾性変形してパネル８の他面８ｂを弾発力により押圧した状態で操作部２の胴部２２に係止固定部６により係止固定される。
【００２７】
これにより、操作部２はパネル８に弾性部材３の弾発力により強固に固定される。そして、この操作部２の固定により、押しボタンスイッチ１の組み立てがほぼ完了するとともに、パネル８への押しボタンスイッチ１の取付けもほぼ完了する。
操作部２の胴部２２にベース部材４が係止固定された係止状態からベース部材４を取り外すには、リリースアーム部材５の押圧部５１を外側からケース体４１に向かって押圧してアーム部５２を移動させる。このアーム部５２の移動に伴い可動部４７が胴部２２から離れる方向に撓み、ベース部材４の係止凸部６２が胴部２２の係止凹部６１から離脱して係止解除となる。
なお、弾性部材３の中央部３ｃが弾性変形してパネル８の他面を押圧したとき、弾性部材３の一端側３ａのパネル８の他面８ｂと対向する部分がパネル８の他面８ｂから離間していることが好ましい。換言すれば、弾性部材３の中央部３ｃの湾曲形状の大きさが弾性部材３の一端側３ａと他端側３ｂとの間の距離よりも大きいことが好ましい。
【００２８】
以上のように、この実施形態の押しボタンスイッチ１は、頭部２１がパネル８の一面８ａに支持され、かつ弾性部材３の中央部３ｃが胴部２２から離れる方向に弾性変形してパネル８の他面８ｂを弾発力により押圧した状態で胴部２２にベース部材４が固定される。そして、弾性部材３がパネル８を押圧する押圧点は、パネル８の取付け孔８ｃの外側になる。したがって、この実施形態の押しボタンスイッチ１によれば、パネルの他面を締付ナットによる締付力で押圧してパネルに操作部を固定する固定方法と同様に、パネル８に操作部２を強固に固定することができるため、パネルの取付け孔における側面の下側縁を弾性部材の弾発力で押圧してパネルに操作部を固定する従来の弾性部材による固定方法と比較して、パネル８に対する操作部２のヨーイングやガタツキを抑制することができる。この結果、ワンタッチで取り付けることができると共に、パネル８に取り付けた押しボタンスイッチ１を安定させることができる。この実施形態の押しボタンスイッチ１は、上述したように、複数の接点ユニット７を操作部２の軸方向に複数段に連結して使用することができる。この場合、押しボタンスイッチ１の軸方向の長さが長くなるため、従来の押しボタンスイッチでは、よりヨーイングし易くなる。これに対し、この実施形態の押しボタンスイッチ１は、弾性部材３の中央部３ｃがパネル８の他面８ｂを押圧する弾発力でパネル８に操作部２を強固に固定することができるため、複数の接点ユニット７を複数段に連結して使用しても、パネルに取り付けた押しボタンスイッチ１を安定させることができる。
【００２９】
また、この実施形態の押しボタンスイッチ１は、胴部２２の外周面において、等間隔で配置された４つの弾性部材３を有するので、パネル８に取り付けた押しボタンスイッチ１をより安定させることができる。
また、この実施形態の押しボタンスイッチ１において、弾性部材３は、予め中央部３ｃが一端側３ａ及び他端側３ｂよりも胴部２２から離れた形状に成形されている。したがって、ベース部材４の受け部４６で弾性部材３の他端側３ｂを支持して弾性部材３の他端側３ｂを一端側３ａに向かって移動させる際、弾性部材３の突っ張りや逆側に弾性変形する不具合を抑制できるので、弾性部材３の中央部３ｃでパネル８の他面８ｂを確実に押圧することができる。
【００３０】
また、この実施形態の押しボタンスイッチ１は、操作部２の胴部２２の外周面に弾性部材３の幅よりも広い幅で操作部２の軸方向に沿って設けられ、かつ弾性部材３と対向するようにして配置された軸方向溝部２３を有する。したがって、この実施形態の押しボタンスイッチ１によれば、操作部２の仮付け工程において、弾性部材３は、パネル８の取付け孔８ｃを通過する際に、中央部３ｃがパネル８の取付け孔８ｃにおける側面の縁で押圧されて二次曲線形状から直線形状に弾性変形して軸方向溝部２３に入り込むため、操作部２の胴部２２はパネル８の取付け孔８ｃを容易に通過することができる。
【００３１】
また、この実施形態の押しボタンスイッチ１は、操作部２と接点ユニット７との連結を仲介するベース部材４を操作部２の胴部２２に係止固定することで弾性部材３の弾発力（弾性変形）を保持している。すなわち、ベース部材４は、操作部２と接点ユニット７との連結を仲介する仲介機能と、弾性部材３の弾発力を保持する保持機能とを兼ね備えている。したがって、押しボタンスイッチ１は、弾性部材３の弾発力を保持する新たな部品を不要とするので、新たな部品を用いて弾性部材３の弾発力を保持する場合と比較して低コスト化を図ることができる。
【００３２】
なお、上述の一実施形態では、本発明の「操作スイッチ」として押しボタンスイッチに本発明を適用した場合について説明したが、本発明は、セレクタスイッチなどの操作スイッチに適用することができる。セレクタスイッチは、回動摘みが設けられた操作部と、機能ユニットとして接点機能が内蔵された接点ユニットとを備える。
また、上述の一実施形態では、係止固定部６の構成として、操作部２の胴部２２に係止凹部６１を設け、ベース部材４に係止凸部６２を設けた場合について説明したが、ベース部材４に係止凹部６１、操作部２の胴部２２に係止凸部６２をそれぞれ設けるようにしてもよい。
【００３３】
また、上述の一実施形態では、一端側３ａが操作部２の胴部２２に固定され、他端側３ｂが一端側３ａに対して胴部２２の軸方向に進退移動可能な弾性部材３について説明したが、弾性部材３としては、他端側３ｂがベース部材４に固定され、一端側３ａが他端側に対して胴部の軸方向に進退移動可能な構成としてもよい。
また、上述の一実施形態では、操作部２の頭部２１及び胴部２２が円形状の場合について説明したが、操作部２の頭部２１及び胴部２２は角形状でもよい。
また、上述の一実施形態では、各々が個々に分割された複数の弾性部材３を用いた場合について説明したが、複数の弾性部材３の各々の一端側３ａ及び他端側３ｂの少なくとも何れか一方をリング状の部材で連結してもよい。
【００３４】
以上、本発明を上記一実施形態に基づき具体的に説明したが、本発明は上記一実施形態に限定されるものではなく、その要旨を逸脱しない範囲において種々変更可能であることは勿論である。
【符号の説明】
【００３５】
１…押しボタンスイッチ（操作スイッチ）
２…操作部
２１…頭部
２１ａ…押しボタン
２２…胴部
２２ａ…大径円筒部，２２ｂ…小径円筒部
２３…軸方向溝部
２５…パッキン
３…弾性部材
３ａ…一端側、３ｂ…他端側、ｃ…中央部
４…ベース部材
４１…ケース体
４２…環状リブ
４３…挿入孔
４４…収納部
４５…案内突起
４６…受け部
４７…可動部
４８…可動突起
４９…第１傾斜部
５…リリースアーム部材
５１…押圧部
５２…アーム部
５３…第２傾斜部
６…係止固定部
６１…係止凹部
６２…係止凸部
６２ａ…傾斜部
７…接点ユニット（機能ユニット）
８…パネル（被取付け部）
８ａ…一面、８ｂ…他面、８ｃ…取付け孔
【図１】
2018010762.tif 000003
【図２】
2018010762.tif 000004
【図３】
2018010762.tif 000005
【図４】
2018010762.tif 000006
【図５】
2018010762.tif 000007
【図６】
2018010762.tif 000008
【図７】
2018010762.tif 000009
【図８】
2018010762.tif 000010